(57)【特許請求の範囲】
【請求項１】
本体に対して少なくとも前後に揺動可能に配設されるヘッド部を備え、
前記ヘッド部には、内刃が外刃の内面に摺接しつつ左右に往復動する刃ユニットが複数設けられており、
少なくとも一つの前記刃ユニットは、基準位置に対して所定の上方位置と所定の下方位置との間を上下動可能に前記ヘッド部の刃枠に保持される可動刃ユニットとして構成され、且つ、該可動刃ユニットを所望の位置まで移動させて位置決めを行うポジションレバーが該刃枠に設けられており、
前記可動刃ユニットは、前記外刃が刃取付台に保持されると共に、該刃取付台に配設された第１付勢部材によって前記内刃が該外刃の内面に押し付けられて保持される構成を有し、且つ、該刃取付台が前記刃枠に上下動可能に保持されており、
前記ヘッド部は、前記内刃に係合される駆動レバーと、該駆動レバーを左右に往復動させる振動体と、を有し、
前記駆動レバーは、前記振動体に配設された第２付勢部材によって上方向に付勢された状態で上下動可能に該振動体に保持されていること
を特徴とする往復式電気かみそり。
【請求項２】
前記ポジションレバーは、前記刃枠に対して左右に移動可能に配設されると共に、裏面に下方から上方に斜めに形成された係合溝を有し、
前記刃取付台は、前記ポジションレバーの裏面に対向する面に係合突起が形成されていると共に、該係合突起が前記係合溝に係合するように前記刃枠に保持されており、
前記ポジションレバーを左右に移動させることによって、前記刃取付台が上下に移動すること
を特徴とする請求項１記載の往復式電気かみそり。
【請求項３】
前記可動刃ユニットは、前記ヘッド部の最前部もしくは最後部またはその両方に配設されていること
を特徴とする請求項１または請求項２記載の往復式電気かみそり。
【請求項４】
前記可動刃ユニットは、断面視逆Ｕ字状の内刃および外刃を有する通常刃ユニット、または上面が平面状のトリマー内刃およびトリマー外刃を有するトリマー刃ユニットのいずれか一方またはその両方であること
を特徴とする請求項１記載の往復式電気かみそり。
【発明の詳細な説明】
【技術分野】
【０００１】
本発明は、往復式電気かみそりに関する。
【背景技術】
【０００２】
従来より、内刃が外刃の内面に摺接しつつ左右に往復動する刃ユニットがヘッド部に複数設けられた往復式電気かみそりが知られている。
【０００３】
例えば、特許文献１には、ヘッド部の皮膚への密着性を向上させて、剃り味を向上させるために、当該ヘッド部が本体に対して前後に揺動可能な構成が開示されている。さらに、同文献１には、髭剃り箇所に適した刃ユニットを基準位置に対して上下の所定位置まで移動させて位置決め可能な構成が開示されている。
【先行技術文献】
【特許文献】
【０００４】
【特許文献１】特開２００４−０４９８６４号公報
【発明の概要】
【発明が解決しようとする課題】
【０００５】
ここで、特許文献１に例示される往復式電気かみそりにおいては、ヘッド部が本体に対して前後に揺動可能であるものの、所定の刃ユニットを上下に移動させるための機構（モード切換えダイヤル、ダイヤルシャフト、リンクアーム等）が本体に配設されると共に、それらの機構とヘッド部とが接続されて刃ユニットの上下移動を実現する構成であるため、本体およびヘッド部内部の機構が非常に複雑になってしまい、部品点数の増加、組立て工数の増加を招く結果となっていた。
【０００６】
本発明は、上記事情に鑑みてなされ、簡素な機構によって、ヘッド部が本体に対して前後に揺動可能で、且つ、当該ヘッド部に設けられる少なくとも一つの刃ユニットが基準位置に対して上下方向の所定位置まで移動させて位置決め可能となる往復式電気かみそりを提供することを目的とする。
【課題を解決するための手段】
【０００７】
一実施形態として、以下に開示するような解決手段により、前記課題を解決する。
【０００８】
開示の往復式電気かみそりは、本体に対して少なくとも前後に揺動可能に配設されるヘッド部を備え、前記ヘッド部には、内刃が外刃の内面に摺接しつつ左右に往復動する刃ユニットが複数設けられており、少なくとも一つの前記刃ユニットは、基準位置に対して所定の上方位置と所定の下方位置との間を上下動可能に前記ヘッド部の刃枠に保持される可動刃ユニットとして構成され、且つ、該可動刃ユニットを所望の位置まで移動させて位置決めを行うポジションレバーが該刃枠に設けられており、前記可動刃ユニットは、前記外刃が刃取付台に保持されると共に、該刃取付台に配設された第１付勢部材によって前記内刃が該外刃の内面に押し付けられて保持される構成を有し、且つ、該刃取付台が前記刃枠に上下動可能に保持されており、前記ヘッド部は、前記内刃に係合される駆動レバーと、該駆動レバーを左右に往復動させる振動体と、を有し、前記駆動レバーは、前記振動体に配設された第２付勢部材によって上方向に付勢された状態で上下動可能に該振動体に保持されていることを要件とする。
【発明の効果】
【０００９】
本発明によれば、簡素な機構によって、ヘッド部が本体に対して前後に揺動可能で、且つ、当該ヘッド部に設けられる少なくとも一つの刃ユニットが基準位置に対して上下の所定位置まで移動させて位置決め可能な往復式電気かみそりが実現できる。また、機構が簡素化できるため、部品点数の削減、組立て工数の削減を図ることができる。
【図面の簡単な説明】
【００１０】
【図１】本発明の実施形態に係る往復式電気かみそりの例を示す概略図（斜視図）である。
【図２】図１に示す往復式電気かみそりのヘッド部の例を示す概略図（分解斜視図）である。
【図３】図１に示す往復式電気かみそりのヘッド部の刃枠および各刃ユニットの例を示す概略図（分解斜視図）である。
【図４】図１に示す往復式電気かみそりの可動刃ユニット（通常刃ユニット）の例を示す概略図（分解斜視図）である。
【図５】図１に示す往復式電気かみそりの可動刃ユニット（トリマー刃ユニット）の例を示す概略図（分解斜視図）である。
【図６】図５に示すトリマー刃ユニットのトリマー外刃組立およびトリマー内刃組立の例を示す概略図（分解斜視図）である。
【図７】図１に示す往復式電気かみそりの固定刃ユニット（通常刃ユニット）の主要部を示す概略図（分解斜視図）である。
【図８】図１に示す往復式電気かみそりの固定刃ユニット（トリマー刃ユニット）の主要部を示す概略図（分解斜視図）である。
【図９】図８に示すトリマー刃ユニットのトリマー外刃組立およびトリマー内刃組立の例を示す概略図（分解斜視図）である。
【図１０】図１に示す往復式電気かみそりの動作を説明するための説明図である。
【発明を実施するための形態】
【００１１】
以下、図面を参照して、本発明の実施形態について詳しく説明する。図１は、本実施形態に係る往復式電気かみそり１０の例を示す概略図（斜視図）である。また、図２は、往復式電気かみそり１０のヘッド部２０の例を示す概略図（分解斜視図）である。また、図３は、ヘッド部２０の刃枠２６および各刃ユニット４０、５０、６０、７０の例を示す概略図（分解斜視図）である。なお、説明の便宜上、図において矢印方向で往復式電気かみそり１０の前後、左右、および上下方向を示す。また、実施形態を説明するための全図において、同一の機能を有する部材には同一の符号を付し、その繰り返しの説明は省略する場合がある。
【００１２】
先ず、本実施形態に係る往復式電気かみそり１０の概略構成について説明する（図１〜図３参照）。駆動機構等を備える本体１２の上部には、外刃と当該外刃の内面に摺接して左右に往復動される内刃とが組み合された刃ユニットが複数並設されたヘッド部２０が設けられている。
【００１３】
本体１２の内部には、各刃ユニット４０、５０、６０、７０の内刃を往復動させるためのモータ、当該モータの電源となる電池、および当該モータの駆動制御を行う制御回路基板等（いずれも不図示）が収容されている。また、本体１２の前面にはモータの駆動・停止を行う電源スイッチ１８が設けられている。
【００１４】
一方、ヘッド部２０には、その上部に装着される刃枠２６と、当該刃枠２６に保持される複数の刃ユニット４０、５０、６０、７０が配設されており、また内部に当該刃ユニット４０、５０、６０、７０の駆動機構３８（後述）が配設されている。この複数の刃ユニット４０、５０、６０、７０のうちの少なくとも一つの刃ユニット（本実施形態では、刃ユニット４０、７０）が、外刃の刃面（上面）が基準面となる位置（図７中のＸで示す基準位置）より上下方向に移動させた位置で位置決め（固定）して使用可能な可動刃ユニットとして構成される（詳細は後述）。
【００１５】
本実施形態においては、四つの刃ユニット４０、５０、６０、７０が並設されている。一例として、後方側から前方側に向かって、通常刃ユニット４０（最後部）、トリマー刃ユニット５０、通常刃ユニット６０、トリマー刃ユニット７０（最前部）の順に設けられている。ここで、通常刃ユニット４０、６０は、主に通常の髭用および仕上げ剃りに用いられる刃ユニットであり、トリマー刃ユニット５０、７０は、主に長い髭やくせ髭の粗剃りに用いられる刃ユニットである。なお、設けられる刃ユニットの個数、トリマー刃ユニットと通常刃ユニットとの構成比率および配列順序、等は上記に限定されるものではない。
【００１６】
上記の刃ユニットのうち、通常刃ユニット４０およびトリマー刃ユニット７０は、後述するように外刃の刃面（上面）が基準面となる位置（基準位置Ｘ）に対して所定の上下方向に移動させた位置で位置決め（固定）されて使用可能な可動刃ユニットとして構成されている。一方、通常刃ユニット６０およびトリマー刃ユニット５０は、外刃の刃面（上面）が基準面となる位置（基準位置Ｘ）で位置決め（固定）されて使用される固定刃ユニットとして構成されている。なお、後述するように四つの刃ユニット４０、５０、６０、７０は、それぞれが上下方向に位置決め（固定）された位置において、使用の際に、その位置から沈み込む方向へ若干のスライド移動を可能な構成としてもよい。
【００１７】
先ず、可動刃ユニット（通常刃ユニット４０およびトリマー刃ユニット７０）について説明する。
【００１８】
図４に示すように、可動刃ユニットである通常刃ユニット４０は、外刃組立４１、内刃組立４２、刃取付台４３を備えて構成されている。なお、図４（ａ）は通常刃ユニット４０を後方側から視た斜視図であり、図４（ｂ）は通常刃ユニット４０を前方側から視た分解斜視図である。
【００１９】
外刃組立４１は、ステンレス鋼等からなる所定厚さの金属板をアーチ状すなわち長手方向（左右方向）に垂直な面による断面視がＵ字状（上下方向を考慮すれば逆Ｕ字状ともいう）の形状に湾曲させた外刃４４を、外刃台４５に固定した構成となっている。当該外刃４４のアーチ状湾曲部（すなわち所定の頂上部および周辺部）には髭を導入するための多数の開口（髭進入口）が金属板を貫通して形成されている。これにより、当該髭進入口に入った髭を外刃４４の下面（内面）と内刃４６とで挟み込むようにしてカットすることが可能となる。なお、髭進入口は、丸孔形状や、スリット形状、あるいはそれらの組み合わせ等、様々な形状を採用することができる。
【００２０】
一方、内刃組立４２は、ステンレス鋼等からなる所定厚さの金属板をアーチ状すなわち長手方向（左右方向）に垂直な面による断面視がＵ字状（上下方向を考慮すれば逆Ｕ字状ともいう）の形状に湾曲させた内刃４６を、内刃台４７に固定した構成となっている。当該内刃４６は、多数のアーチ状の小刃４６ａが一体に形成されており、内刃４６すなわち各小刃４６ａのアーチ状の上面（外周面）は外刃４４の内面に摺接する曲面となっている。
【００２１】
ここで、外刃組立４１は刃取付台４３に保持される。このとき、当該刃取付台４３に配設された第１付勢部材（例えば、コイルバネ）１Ａ、１Ｂによって内刃組立４２が外刃組立４１に向かって付勢されて内刃４６が外刃４４の内面に押し付けられた状態で保持される。また、本実施形態においては、外刃台４５の突起部４５ａが刃取付台４３の長穴部４３ａに係合されることによって、外刃組立４１が刃取付台４３に対して上下にスライド移動可能な構成としている。これによれば、常時は外刃組立４１および内刃組立４２を第１付勢部材１Ａ、１Ｂによって刃取付台４３に対して上方位置に保持（位置決め）しつつ、使用に際して皮膚により押されたときに、刃取付台４３に対して沈み込む方向に若干の（すなわち、長穴部４３ａの上下方向長さ分の）スライド移動が可能となる。なお、第１付勢部材１Ａ、１Ｂは、コイルバネに限定されるものではなく、板バネ等を用いて構成してもよい（不図示）。また、変形例として、外刃組立４１を刃取付台４３に対してスライド移動不能に完全に固定する構成としてもよい（不図示）。
【００２２】
さらに、刃取付台４３はヘッド部２０に設けられる刃枠２６に組み付けられ、当該刃枠２６によって上下動可能に保持される構成となる。より具体的には、刃取付台４３の長手方向（左右方向）の両端に設けられる突起部４３ｂが刃枠２６内部の対応位置に設けられる上下方向溝２６ａに係合されることによって、刃取付台４３が刃枠２６に対して前後・左右に移動不能で且つ上下に移動可能となるように保持される。すなわち、可動刃ユニットである通常刃ユニット４０が刃枠２６に対して上下動可能となる。
【００２３】
ここで、本実施形態においては、可動刃ユニット（通常刃ユニット４０）を所望の上下方向位置まで移動させて位置決めを行うポジションレバー２８が刃枠２６に設けられている（図３参照）。より具体的には、ポジションレバー２８は、刃枠２６に対して左右にスライド移動可能に配設されると共に、裏面に下方から上方に斜めに形成された係合溝２８ａを有する構成となっている。一方、刃取付台４３は、ポジションレバー２８の裏面に対向する面に係合突起４３ｃが形成されていると共に、係合突起４３ｃが係合溝２８ａに係合するようにして刃枠２６に保持される構成となっている。したがって、ポジションレバー２８を左右にスライド移動させることによって、刃取付台４３が上下に移動する構成が実現される。すなわち、ポジションレバー２８を所定位置に設定することで、刃取付台４３すなわち通常刃ユニット４０が所定位置に位置決めされる。
【００２４】
上記構成によれば、可動刃ユニットとしての通常刃ユニット４０を基準位置Ｘに対して所定の上方位置と所定の下方位置との間を上下動可能に刃枠２６に保持可能で、且つ、通常刃ユニット４０を所望の上下方向位置まで移動させて位置決めを行うことが可能となる。このとき、通常刃ユニット４０の刃取付台４３に第１付勢部材１Ａ、１Ｂが配設され、当該第１付勢部材１Ａ、１Ｂによって内刃４６が外刃４４の内面に押し付けられる構成を備えているため、通常刃ユニット４０を刃枠２６に対して上下動させて所望の位置に位置決めを行った場合であっても、押し付け力の変動を抑えることが可能となる。なお、刃取付台４３に対して沈み込み方向に外刃４４（外刃組立４１）がスライド移動する構成の場合の押し付け力の変動は支障の無い範囲内となっている。
【００２５】
このように、内刃４６が外刃４４の内面に押し付けられて摺接しながら左右に駆動される際に、その押し付け力の変動が抑制可能となることによって、押し付け力を最適領域に維持することが可能となる。その結果、押し付け力過大による消費電力の増加、摺接部の摩耗量の増加を防止でき、また、押し付け力過小による剃り味の低下を防止することができる。
【００２６】
次に、可動刃ユニットであるトリマー刃ユニット７０の構成を図５に示す。トリマー刃ユニット７０の基本的な構成は通常刃ユニット４０と同様であるが、以下、主要な相違点について説明する。トリマー刃ユニット７０は、断面視Ｌ字状もしくはコ字状またはそれらの並設形状等のように上面が平面状で多数のスリットを有するトリマー外刃７４がトリマー外刃台７５に固定されたトリマー外刃組立７１と、上記トリマー外刃７４の内面（下面）と摺接可能な断面視Ｌ字状もしくはコ字状またはそれらの並設形状等のように上面が平面状で多数の小刃を有するトリマー内刃７６がトリマー内刃台７７に固定されたトリマー内刃組立７２とを備えて構成されている。なお、図５（ａ）はトリマー刃ユニット７０を前方側から視た斜視図であり、図５（ｂ）はトリマー刃ユニット７０を後方側から視た分解斜視図である。図６は図５（ｂ）に示すトリマー刃ユニット７０のトリマー外刃組立７１およびトリマー内刃組立７２を後方側から視た分解斜視図である。一例として、本実施形態に係るトリマー内刃７６は、断面視Ｌ字状（逆Ｌ字状）の二つの刃を短手方向（前後方向）において相互に逆向きとなるようにして並設させた形状を有している。
【００２７】
ここで、トリマー内刃組立７２は、トリマー外刃組立７１によって保持される。より具体的には、図６に示すように、第４付勢部材（例えば、板バネ）４Ａによってトリマー内刃７６がトリマー外刃７４に向かって付勢されてトリマー内刃７６の上面がトリマー外刃７４の内面（下面）に押し付けられた状態で保持される。本実施形態においては、第４付勢部材４Ａが、トリマー外刃台７５の支持部７５ｂ上に支持されて、前記方向にトリマー内刃７６を付勢する付勢力を発生させる。なお、第４付勢部材４Ａは、板バネに限定されるものではなく、コイルバネ等を用いて構成してもよい（不図示）。
【００２８】
また、図５に示すように、トリマー外刃組立７１は、トリマー刃取付台７３によって保持される。このとき、当該トリマー刃取付台７３に配設された第５付勢部材（例えば、コイルバネ）５Ａ、５Ｂおよび後述の第８付勢部材８Ａによってトリマー外刃組立７１が上方に向かって付勢された状態で保持される。また、本実施形態においては、トリマー外刃台７５の突起部７５ａがトリマー刃取付台７３の長穴部７３ａに係合されることによって、トリマー外刃組立７１がトリマー刃取付台７３に対して上下にスライド移動可能な構成としている。なお、第５付勢部材５Ａ、５Ｂは、コイルバネに限定されるものではなく、板バネ等を用いて構成してもよい（不図示）。
【００２９】
これによれば、常時はトリマー外刃組立７１およびトリマー内刃組立７２を第５付勢部材５Ａ、５Ｂおよび第８付勢部材８Ａによってトリマー刃取付台７３に対して上方位置に保持（位置決め）しつつ、使用に際して皮膚により押されたときに、トリマー刃取付台７３に対して沈み込む方向に若干の（すなわち、長穴部７３ａの上下方向長さ分の）スライド移動が可能となる。なお、変形例として、トリマー外刃組立７１をトリマー刃取付台７３に対してスライド移動不能に完全に固定する構成としてもよい（不図示）。
【００３０】
さらに、通常刃ユニット４０と同様に、トリマー刃取付台７３はヘッド部２０に設けられる刃枠２６に組み付けられ、当該刃枠２６によって上下動可能に保持される構成となる。より具体的には、トリマー刃取付台７３の長手方向（左右方向）の両端に設けられる突起部７３ｂが刃枠２６内部の対応位置に設けられる上下方向溝２６ｂに係合されることによって、トリマー刃取付台７３が刃枠２６に対して前後・左右に移動不能で且つ上下に移動可能となるように保持される。すなわち、可動刃ユニットであるトリマー刃ユニット７０が刃枠２６に対して上下動可能となる。
【００３１】
ここで、本実施形態においては、可動刃ユニット（トリマー刃ユニット７０）を所望の上下方向位置まで移動させて位置決めを行うポジションレバー２９が刃枠２６に設けられている（図３参照）。より具体的には、ポジションレバー２９は、刃枠２６に対して左右にスライド移動可能に配設されると共に、裏面に下方から上方に斜めに形成された係合溝２９ａを有する構成となっている。一方、トリマー刃取付台７３は、ポジションレバー２９の裏面に対向する面に係合突起７３ｃが形成されていると共に、係合突起７３ｃが係合溝２９ａに係合するようにして刃枠２６に保持される構成となっている。したがって、ポジションレバー２９を左右にスライド移動させることによって、トリマー刃取付台７３が上下に移動する構成が実現される。すなわち、ポジションレバー２９を所定位置に設定することで、トリマー刃取付台７３すなわちトリマー刃ユニット７０が所定位置に位置決めされる。
【００３２】
上記構成によれば、可動刃ユニットとしてのトリマー刃ユニット７０を基準位置Ｘに対して所定の上方位置と所定の下方位置との間を上下動可能に刃枠２６に保持可能で、且つ、トリマー刃ユニット７０を所望の上下方向位置まで移動させて位置決めを行うことが可能となる。このとき、トリマー内刃組立７２がトリマー外刃組立７１によって保持されており、且つ、当該トリマー外刃組立７１のトリマー外刃台７５（支持部７５ｂ）に支持された第４付勢部材４Ａによってトリマー内刃７６がトリマー外刃７４の内面に押し付けられる構成を備えているため、トリマー刃ユニット７０を刃枠２６に対して上下動させて所望の位置に位置決めを行った場合であっても、トリマー内刃７６とトリマー外刃７４との押し付け力の変動を抑えることが可能となる。なお、トリマー刃取付台７３に対して沈み込み方向にトリマー外刃７４（トリマー外刃組立７１）がスライド移動する構成の場合の押し付け力の変動は支障の無い範囲内となっている。
【００３３】
このように、トリマー内刃７６がトリマー外刃７４の内面に押し付けられて摺接しながら左右に駆動される際に、その押し付け力の変動が抑制可能となることによって、押し付け力を最適領域に維持することが可能となる。その結果、押し付け力過大による消費電力の増加、摺接部の摩耗量の増加を防止でき、また、押し付け力過小による剃り味の低下を防止することができる。
【００３４】
続いて、固定刃ユニット（通常刃ユニット６０およびトリマー刃ユニット５０）について説明する。
【００３５】
図３、図７に示すように、固定刃ユニットである通常刃ユニット６０は、外刃組立６１、内刃組立６２、刃取付台６３を備えて構成されている。外刃組立６１は、ステンレス鋼等からなる断面視Ｕ字状（上下方向を考慮すれば逆Ｕ字状ともいう）の外刃６４を、外刃台６５に固定した構成となっている。なお、基本構成は前述の通常刃ユニット４０と同様であるため、繰り返しの説明を省略する。
【００３６】
一方、内刃組立６２は、ステンレス鋼等からなり、多数の小刃６６ａを有する断面視Ｕ字状（上下方向を考慮すれば逆Ｕ字状ともいう）の内刃６６を、内刃台６７に固定した構成となっている。なお、基本構成は前述の通常刃ユニット４０と同様であるため、繰り返しの説明を省略する。
【００３７】
ここで、外刃組立６１が刃取付台６３に保持されて、刃取付台６３が刃枠２６に保持される（図３参照）。ただし、固定刃ユニットである通常刃ユニット６０においては、前述の可動刃ユニットである通常刃ユニットと相違して、内刃６６を外刃６４の内面に押し付けるように付勢する第１付勢部材を有しない構成となっている。すなわち、本実施形態においては、後述の第３付勢部材３Ａによって上方に付勢される駆動レバー８６によって、内刃組立６２が外刃組立６１に向かって付勢されて内刃６６が外刃６４の内面に押し付けられると共に、固定刃ユニット（通常刃ユニット６０）が基準位置Ｘに位置決めされる構成となっている。
【００３８】
本実施形態においては、外刃組立６１の外刃台６５の突起部６５ａが刃取付台６３の長穴部６３ａに係合されることによって、外刃組立６１が刃取付台６３に対して上下にスライド移動可能な構成としている。これによれば、常時は外刃６４および内刃６６を後述の第３付勢部材３Ａによって刃取付台６３に対して上方位置に保持しつつ、使用に際して皮膚により押されたときに、刃取付台６３に対して沈み込む方向に若干の（すなわち、長穴部６３ａの上下方向長さ分の）スライド移動が可能となる。なお、刃取付台６３は刃枠２６に対して上下に移動しないように固定されている。
【００３９】
次に、固定刃ユニットであるトリマー刃ユニット５０について説明する（図３、図８、図９参照）。トリマー刃ユニット５０の基本的な構成は、通常刃ユニット６０と同様であるが、以下、主要な相違点について説明する。なお、図８はトリマー刃ユニット５０を後方側から視た分解斜視図である。図９は図８に示すトリマー刃ユニット５０のトリマー外刃組立５１およびトリマー内刃組立５２を後方側から視た分解斜視図である。
【００４０】
トリマー刃ユニット５０は、断面視Ｌ字状もしくはコ字状またはそれらの並設形状等のように上面が平面状で多数のスリットを有するトリマー外刃５４がトリマー外刃台５５に固定されたトリマー外刃組立５１と、上記トリマー外刃５４の内面（下面）と摺接可能な断面視Ｌ字状もしくはコ字状またはそれらの並設形状等のように上面が平面状で多数の小刃を有するトリマー内刃５６がトリマー内刃台５７に固定されたトリマー内刃組立５２とを備えて構成されている。一例として、本実施形態に係るトリマー内刃５６は、断面視Ｌ字状（逆Ｌ字状）の二つの刃を短手方向（前後方向）において相互に逆向きとなるようにして並設させた形状を有している。
【００４１】
ここで、トリマー内刃組立５２は、トリマー外刃組立５１によって保持される。より具体的には、図９に示すように、第６付勢部材（例えば、板バネ）６Ａによってトリマー内刃５６がトリマー外刃５４に向かって付勢されてトリマー内刃５６の上面がトリマー外刃５４の内面（下面）に押し付けられた状態で保持される。本実施形態においては、第６付勢部材６Ａが、トリマー外刃台５５の支持部５５ｂ上に支持されて、前記方向にトリマー内刃５６を付勢する付勢力を発生させる。なお、第６付勢部材６Ａは、板バネに限定されるものではなく、コイルバネ等を用いて構成してもよい（不図示）。
【００４２】
また、トリマー外刃組立５１は、トリマー刃取付台５３によって保持される。このとき、当該トリマー刃取付台５３に配設された第７付勢部材（例えば、コイルバネ）７Ａ、７Ｂおよび後述の第３付勢部材３Ｂによってトリマー外刃組立５１が上方に向かって付勢された状態で保持される。さらに、トリマー刃取付台５３が刃枠２６に保持される（図３参照）。ただし、前述の可動刃ユニットであるトリマー刃ユニット７０と相違して、固定刃ユニットであるトリマー刃ユニット５０は、刃枠２６に対して上下動せずに、所定位置すなわち基準位置Ｘにおいて位置決めされる構成となっている。なお、第７付勢部材７Ａ、７Ｂは、コイルバネに限定されるものではなく、板バネ等を用いて構成してもよい（不図示）。
【００４３】
本実施形態においては、トリマー外刃組立５１のトリマー外刃台５５の突起部５５ａがトリマー刃取付台５３の長穴部５３ａに係合されることによって、トリマー外刃組立５１がトリマー刃取付台５３に対して上下にスライド移動可能な構成としている。これによれば、常時はトリマー外刃組立５１およびトリマー内刃組立５２を第７付勢部材７Ａ、７Ｂおよび第３付勢部材３Ｂによってトリマー刃取付台７３に対して上方位置に保持（位置決め）しつつ、使用に際して皮膚により押されたときに、トリマー刃取付台５３に対して沈み込む方向に若干の（すなわち、長穴部５３ａの上下方向長さ分の）スライド移動が可能となる。なお、前述の通り、トリマー刃取付台５３は刃枠２６に対して上下に移動しないように固定されている。
【００４４】
ここで、本実施形態においては、部品点数の削減のため、刃取付台６３とトリマー刃取付台５３とを一体に形成しているが、別体に形成する構成としてもよい。
【００４５】
上記の構成を備える複数の刃ユニット４０、５０、６０、７０によって、多様な髭剃りモードが実現可能となる（図１０（ａ）〜図１０（ｆ）参照）。例えば、図１０（ａ）に示すように、可動刃ユニットである通常刃ユニット４０を基準位置Ｘよりも上方に移動させて位置決め（固定）した状態で使用することで、鼻下用に好適なモードとなる。鼻下は剃り面積が限られているうえに剃り面が湾曲しているためである。また、図１０（ｂ）に示すように、通常刃ユニット４０を基準位置Ｘと同位置に位置決め（固定）した状態で使用することで、全ての刃面（外刃の上面およびトリマー外刃の上面）を用いて頬等の幅広い面積を素早く剃ることができるモード（標準モード）となる。また、図１０（ｃ）に示すように、通常刃ユニット４０を基準位置Ｘよりも下方に移動させて位置決め（固定）した状態で使用することで、基準位置Ｘにおいてトリマー刃ユニット５０、７０が両端に配置された状態になるため、癖髭を捉えるのに好適なモードとなる。
【００４６】
一方、図１０（ｄ）に示すように、可動刃ユニットであるトリマー刃ユニット７０を基準位置Ｘよりも上方に移動させて位置決め（固定）した状態で使用することで、もみあげ等のキワ剃り用に好適なモードとなる。したがって、後述のようにキワ剃り刃１１０を省略する構成とすることも可能となる。また、図１０（ｅ）に示すように、トリマー刃ユニット７０を基準位置Ｘと同位置に位置決め（固定）した状態については、上記の標準モードと同様である。また、図１０（ｆ）に示すように、トリマー刃ユニット７０を基準位置Ｘよりも下方に移動させて位置決め（固定）した状態で使用することで、基準位置Ｘにおいて通常刃ユニット４０、６０が両端に配置された状態になるため、やや面積の狭い部分のひげ用として、あるいは仕上げ剃り用として好適なモードとなる。
【００４７】
続いて、本体１２およびヘッド部２０について詳しく説明する。
【００４８】
本体１２は、それぞれ略シェル状の前ケース１４と後ケース１６を周縁で重ね合わせて接合した構成を備えている。
【００４９】
なお、後ケース１６に設けられる符号８０はキワ剃り刃であって（図１０（ａ）〜図１０（ｆ）参照）、その構成および作用は公知のキワ剃り刃と同様である。ここで、本実施形態においては、可動刃ユニットとしてのトリマー刃ユニット７０を基準位置よりも上方に移動させて固定して使用することによってキワ剃りが可能となるため、キワ剃り刃８０を省略する構成とすることも可能である。
【００５０】
一方、ヘッド部２０は、本体１２に対して左右に揺動可能なように当該本体１２に保持される左右揺動部２２と、本体１２に対して前後に揺動可能なように左右揺動部２２に保持される前後揺動部２４と、前後揺動部２４に上から被せるようにして固定される刃枠２６とを備えて構成されている。前述の通り、複数の刃ユニット４０、５０、６０、７０が刃枠２６によって保持されると共に、各刃ユニット４０、５０、６０、７０の内刃４６、５６、６６、７６がヘッド部２０（ここでは、前後揺動部２４）に配設される駆動機構３８（後述）に連結されて駆動される構成となっている。
【００５１】
ここで、ヘッド部２０の左右揺動部２２は左右に長い略杯状であって、上部には左右一対の支持腕３０、３０が立設されている。また、下部には、前後面に突出する突部３２、３２が形成されており、当該突部３２、３２が左右揺動部２２を本体に対して左右揺動可能に支持するピボット部となっている。すなわちピボット部となる突部３２、３２はヘッド部２０の左右揺動の支点（回動支点）となる。なお、突部３２、３２には防振ゴム（不図示）が被されている。
【００５２】
一方、ヘッド部２０の前後揺動部２４は、左右揺動部２２の支持腕３０、３０によって前後に揺動可能に支持されている。具体的には、前後揺動部２４はピン３４、３４を用いて支持腕３０、３０に連結されて、当該ピン３４、３４を中心にして前後に揺動する。すなわちピン３４、３４はヘッド部２０の前後揺動の支点（回動支点）となる。
【００５３】
なお、左右揺動部２２に対して前後揺動部２４が揺動しないようにロックを行うロックボタン３６を設けてもよい。これによれば、前後揺動部２４が前後に揺動しない状態に設定することが可能となるため、可動刃ユニットを基準位置Ｘ以外の位置に上下動させて使用する際に、キワ剃り等を安定して行うことが可能となる。
【００５４】
上記の構成を備えて、ヘッド部２０は左右方向、および前後方向に揺動可能な構成となる。これによって、各刃ユニット４０、５０、６０、７０の外刃４４、６４、トリマー外刃５４、７４を皮膚に密着させつつ移動できるため、滑らかな剃り味が得られる。
【００５５】
しかし、本体に対して、ヘッド部２０が左右方向、および前後方向に揺動可能な構成であるが故に、ヘッド部２０において上下動する可動刃ユニットを如何に簡素な構成によって実現するかが課題となった。
【００５６】
この課題に対して、本実施形態においては、前述の通り可動刃ユニット（通常刃ユニット４０およびトリマー刃ユニット７０）を上下動させる機構（前述のポジションレバー２８、２９等）を刃枠２６に設ける構成を案出し、且つ、上下動させた可動刃ユニットを駆動するための特徴的な駆動機構３８を案出することによって、その解決を可能としている。以下、当該駆動機構３８について詳しく説明する。
【００５７】
当該駆動機構３８は、内刃４６、５６、７６、８６にそれぞれ係合される駆動レバー８２、８４、８６、８８と、当該駆動レバー８２、８４、８６、８８をそれぞれ左右に往復動させる振動体９２、９４、９６、９８とを有し、前後揺動部２４に配設されている。振動体９２、９４、９６、９８は、モータの回転軸に固定したクランク状のカム軸に係合されており（いずれも不図示）、モータが回転駆動されることによって左右に振動する。振動体９２、９４、９６、９８の上部には、それぞれ、駆動レバー８２、８４、８６、８８が上下動可能に取り付けられる構成となっている。
【００５８】
ここで、駆動レバー８２は可動刃ユニットである通常刃ユニット４０を駆動するものであり、当該駆動レバー８２は第２付勢部材（一例として、コイルバネ）２Ａによって上向きに付勢されて振動体９２に保持されている。この構成により、通常刃ユニット４０の内刃４６が当該駆動レバー８２に連結されて、左右に往復駆動される。
【００５９】
また、駆動レバー８８は可動刃ユニットであるトリマー刃ユニット７０を駆動するものであり、当該駆動レバー８８は第８付勢部材（一例として、コイルバネ）８Ａによって上向きに付勢されて振動体９８に保持されている。この構成により、トリマー刃ユニット７０のトリマー内刃７６が当該駆動レバー８８に連結されて、左右に往復駆動される。
【００６０】
一方、駆動レバー８６は固定刃ユニットである通常刃ユニット６０を駆動するものであり、当該駆動レバー８６は第３付勢部材（一例として、コイルバネ）３Ａによって上向きに付勢されて振動体９６に保持されている。この構成により、通常刃ユニット６０の内刃６６が当該駆動レバー８６に連結されて、左右に往復駆動される。
【００６１】
また、駆動レバー８４は固定刃ユニットであるトリマー刃ユニット５０を駆動するものであり、当該駆動レバー８４は第３付勢部材（一例として、コイルバネ）３Ｂによって上向きに付勢されて振動体９４に保持されている。この構成により、トリマー刃ユニット５０のトリマー内刃５６が当該駆動レバー８４に連結されて、左右に往復駆動される。
【００６２】
ここで、可動刃ユニットである通常刃ユニット４０に関しては、内刃４６が第１付勢部材１Ａ、１Ｂによって外刃４４に押し付けられる構成であり、当該第１付勢部材１Ａ、１Ｂによって最適な押し付け力（摺接力）設定がなされている。したがって、駆動レバー８２を上方に付勢している第２付勢部材２Ａの付勢力を強く設定してしまうと、内刃４６と外刃４４との押し付け力が過大となってしまう問題が生じる。そのため、第２付勢部材２Ａの付勢力は、可動刃ユニットである通常刃ユニット４０が上下動する際に、その動きに内刃４６と連結される駆動レバー８２が追従できる程度の弱い付勢力に設定される。
【００６３】
また、可動刃ユニットであるトリマー刃ユニット７０に関しては、トリマー内刃７６が第４付勢部材４Ａによってトリマー外刃７４に押し付けられる構成であり、当該第４付勢部材４Ａによって最適な押し付け力（摺接力）設定がなされている。したがって、駆動レバー８８を上方に付勢している第８付勢部材８Ａの付勢力を強く設定してしまうと、トリマー内刃７６とトリマー外刃７４との押し付け力が過大となってしまう問題が生じる。そのため、第８付勢部材８Ａの付勢力は、可動刃ユニットであるトリマー刃ユニット７０が上下動する際に、その動きにトリマー内刃７６と連結される駆動レバー８８が追従できる程度の弱い付勢力に設定される。
【００６４】
一方、固定刃ユニットである通常刃ユニット６０に関しては、可動刃ユニットとは異なり第１付勢部材を有しない構成であるため、第３付勢部材３Ａによって内刃６６が外刃６４に押し付けられると共に最適な押し付け力（摺接力）に設定されている。したがって、当該第３付勢部材３Ａの付勢力を弱く設定してしまうと、内刃６６と外刃６４との押し付け力が過小となってしまう問題が生じる。そのため、第３付勢部材３Ａの付勢力は、上記の第２付勢部材２Ａの付勢力よりも相対的に強い付勢力に設定される。
【００６５】
また、固定刃ユニットであるトリマー刃ユニット５０に関しては、トリマー内刃５６が第６付勢部材６Ａによってトリマー外刃５４に押し付けられる構成であり、当該第６付勢部材６Ａによって最適な押し付け力（摺接力）設定がなされている。したがって、駆動レバー８４を上方に付勢している第３付勢部材３Ｂの付勢力を強く設定してしまうと、トリマー内刃５６とトリマー外刃５４との押し付け力が過大となってしまう問題が生じる。そのため、第３付勢部材３Ｂの付勢力は、使用に際して皮膚により押されたときに、トリマー刃ユニット５０がトリマー刃取付台５３に対して沈み込む方向に若干のスライド移動する際に、その動きにトリマー内刃５６と連結される駆動レバー８４が追従できる程度の弱い付勢力に設定される。
【００６６】
なお、第２付勢部材２Ａ、第３付勢部材３Ａ、３Ｂ、第８付勢部材８Ａは、コイルバネに限定されるものではなく、板バネ等を用いて構成してもよい（不図示）。
【００６７】
以上、説明した通り、本発明に係る往復式電気かみそり１０によれば、本体に対して、ヘッド部２０が左右方向、および前後方向に揺動可能な構成によって、皮膚への密着性を高めて、良好な剃り味が実現できる。また、可動刃ユニット（通常刃ユニット４０およびトリマー刃ユニット７０）を備えることによって、多様な髭剃りモードが実現できる。さらに、ヘッド部２０において上下動する可動刃ユニット（通常刃ユニット４０およびトリマー刃ユニット７０）をきわめて簡素な構成によって実現することができ、部品点数の削減・組立て工数の削減を図ることができる。また、可動刃ユニット（通常刃ユニット４０およびトリマー刃ユニット７０）が上下動する際に、内刃４６と外刃４４との押し付け力およびトリマー内刃７６とトリマー外刃７４との押し付け力が過大もしくは過小となってしまうことが防止でき、良好な剃り味が実現できる。
【００６８】
なお、本発明は、以上説明した実施例に限定されることなく、本発明を逸脱しない範囲において種々変更が可能である。特に、刃ユニットを四組有する往復式電気かみそりを例に挙げて説明を行ったが、これに限定されるものではない。また、可動刃ユニットの設定、通常の刃ユニットとトリマー刃ユニットとの組合せ等についても適宜、選択し得るものである。なお、ヘッド部が揺動しない構成にも適用し得る。
【符号の説明】
【００６９】
１Ａ、１Ｂ  第１付勢部材
２Ａ  第２付勢部材
３Ａ、３Ｂ  第３付勢部材
４Ａ  第４付勢部材
５Ａ、５Ｂ  第５付勢部材
６Ａ  第６付勢部材
７Ａ、７Ｂ  第７付勢部材
８Ａ  第８付勢部材
１０  往復式電気かみそり
２０  ヘッド部
２２  左右揺動部
２４  前後揺動部
２６  刃枠
２８、２９  ポジションレバー
３８  駆動機構
４０  可動刃ユニット（通常刃ユニット）
４１  外刃組立
４２  内刃組立
４３  刃取付台
５０  固定刃ユニット（トリマー刃ユニット）
５１  トリマー外刃組立
５２  トリマー内刃組立
５３  トリマー刃取付台
６０  固定刃ユニット（通常刃ユニット）
６１  外刃組立
６２  内刃組立
６３  刃取付台
７０  可動刃ユニット（トリマー刃ユニット）
７１  トリマー外刃組立
７２  トリマー内刃組立
７３  トリマー刃取付台
８２、８４、８６、８８  駆動レバー
９２、９４、９６、９８  振動体
【図１】
0006389392.tif 000002
【図２】
0006389392.tif 000003
【図３】
0006389392.tif 000004
【図４】
0006389392.tif 000005
【図５】
0006389392.tif 000006
【図６】
0006389392.tif 000007
【図７】
0006389392.tif 000008
【図８】
0006389392.tif 000009
【図９】
0006389392.tif 000010
【図１０】
0006389392.tif 000011